(57)【要約】【課題】環境側面に関する情報を送信先の条件に合わせて変換して伝送する手段を提供すること。【解決手段】環境側面に関する情報を外部装置に送信する環境情報収集装置（１）であって、環境側面を識別する側面識別子に対応付けて、当該環境側面の計測値及びその計測時刻を含む側面測定情報（１０４）を格納するとともに、側面識別子に対応付けて、外部装置における単位系に合わせて計測値を変換する係数及び外部装置において当該環境側面を識別する側面識別子を含む転送変換情報（１０５）を格納する記憶部と、側面測定情報の計測値を転送変換情報の係数を用いて変換し、この結果値及び転送変換情報の外部装置における側面識別子を併せた側面情報を生成し、外部装置に送信する演算処理部（１０６）とを備える環境情報収集装置。【選択図】図２
2008140088.tif 000002
【特許請求の範囲】
【請求項１】
環境側面に関する情報を外部装置に送信する環境情報収集装置であって、
前記環境側面を識別する側面識別子に対応付けて、当該環境側面の計測値及びその計測時刻を含む側面測定情報を格納するとともに、前記側面識別子に対応付けて、前記外部装置における単位系に合わせて前記計測値を変換する係数及び前記外部装置において当該環境側面を識別する側面識別子を含む転送変換情報を格納する記憶部と、
前記側面測定情報の計測値を前記転送変換情報の係数を用いて変換し、この結果値及び前記転送変換情報の前記外部装置における側面識別子を併せた側面情報を生成し、前記外部装置に送信する演算処理部とを備えること、
を特徴とする環境情報収集装置。
【請求項２】
環境側面に関する情報を外部装置に送信する環境情報収集装置であって、
前記環境側面を識別する側面識別子に対応付けて、当該環境側面の計測値及びその計測時刻を含む側面測定情報を格納し、所定の時間区間を示す時間区間識別子を格納するとともに、前記側面識別子に対応付けて、前記外部装置における単位系に合わせて前記環境側面の数値を変換する係数及び前記外部装置において当該環境側面を識別する側面識別子を含む転送変換情報を格納する記憶部と、
前記側面測定情報の計測時刻に基づいて、前記時間区間に計測された前記環境側面の計測値を集計した集計値を計算し、この集計値を前記転送変換情報の係数を用いて変換し、この結果値、前記転送変換情報の前記外部装置における側面識別子及びこの集計した時間区間の時間区間識別子を併せた側面情報を生成し、前記外部装置に送信する演算処理部とを備えること、
を特徴とする環境情報収集装置。
【請求項３】
階層構造を有する環境側面に関する情報を外部装置に送信する環境情報収集装置であって、
前記環境側面を識別する側面識別子に対応付けて、当該環境側面の計測値及びその計測時刻を含む側面測定情報を格納し、所定の時間区間を示す時間区間識別子を格納し、前記側面識別子に対応付けて、前記外部装置における単位系に合わせて前記環境側面の数値を変換する係数及び前記外部装置において当該環境側面を識別する側面識別子を含む転送変換情報を格納するとともに、下位階層の環境側面から上位階層の環境側面を算出する際に、下位階層の環境側面の数値に乗算される所定の係数、この係数が乗算された下位階層の環境側面の数値を用いて上位階層の環境側面を算出するための加算、減算、乗算又は除算のいずれかの演算子、及び算出される上位階層の環境側面の側面識別子を含む側面階層情報を格納する記憶部と、
前記側面測定情報の計測時刻に基づいて、前記時間区間に計測された前記環境側面の計測値を集計した集計値を計算し、前記側面階層情報に基づいて、この時間区間における上位階層の環境側面の数値を計算し、この数値及び前記集計値を前記転送変換情報の係数を用いて変換し、この結果値、前記転送変換情報の前記外部装置における側面識別子及びこの集計した時間区間の時間区間識別子を併せた側面情報を生成し、前記外部装置に送信する演算処理部とを備えること、
を特徴とする環境情報収集装置。
【請求項４】
前記演算処理部は、送信を希望する環境側面を特定する側面識別子及び時間区間識別子を取得し、前記取得した側面識別子及び時間区間識別子に対応する側面情報を前記外部装置に送信すること、
を特徴とする請求項３に記載の環境情報収集装置。
【請求項５】
前記演算処理部は、前記外部装置から側面情報を受信すると、当該側面情報の側面識別子に該当する側面識別子が前記記憶部にあるか否かを判定し、ある場合にのみ当該側面情報を前記記憶部に格納すること、
を特徴とする請求項３又は請求項４に記載の環境情報収集装置。
【請求項６】
記憶部に、環境側面を識別する側面識別子に対応付けて、当該環境側面の計測値及びその計測時刻を含む側面測定情報を格納するとともに、前記側面識別子に対応付けて、前記外部装置における単位系に合わせて前記計測値を変換する係数及び外部装置において当該環境側面を識別する側面識別子を含む転送変換情報を格納するコンピュータが、前記環境側面に関する情報を前記外部装置に送信する環境情報収集方法であって、
前記コンピュータの演算処理部が、
前記側面測定情報の計測値を前記転送変換情報の係数を用いて変換し、
この結果値及び前記転送変換情報の前記外部装置における側面識別子を併せた側面情報を生成し、前記外部装置に送信すること、
を特徴とする環境情報収集方法。
【請求項７】
記憶部に、環境側面を識別する側面識別子に対応付けて、当該環境側面の計測値及びその計測時刻を含む側面測定情報を格納し、所定の時間区間を示す時間区間識別子を格納するとともに、前記側面識別子に対応付けて、外部装置における単位系に合わせて前記環境側面の数値を変換する係数及び前記外部装置において当該環境側面を識別する側面識別子を含む転送変換情報を格納するコンピュータが、前記環境側面に関する情報を前記外部装置に送信する環境情報収集方法であって、
前記コンピュータの演算処理部が、
前記側面測定情報の計測時刻に基づいて、前記時間区間に計測された前記環境側面の計測値を集計した集計値を計算し、
この集計値を前記転送変換情報の係数を用いて変換し、
この結果値、前記転送変換情報の前記外部装置における側面識別子及びこの集計した時間区間の時間区間識別子を併せた側面情報を生成し、前記外部装置に送信すること、
を特徴とする環境情報収集方法。
【請求項８】
記憶部に、階層構造を有する環境側面を識別する側面識別子に対応付けて、当該環境側面の計測値及びその計測時刻を含む側面測定情報を格納し、所定の時間区間を示す時間区間識別子を格納し、前記側面識別子に対応付けて、外部装置における単位系に合わせて前記環境側面の数値を変換する係数及び外部装置において当該環境側面を識別する側面識別子を含む転送変換情報を格納するとともに、下位階層の環境側面から上位階層の環境側面を算出する際に、下位階層の環境側面の数値に乗算される所定の係数、この係数が乗算された下位階層の環境側面の数値を用いて上位階層の環境側面を算出するための加算、減算、乗算又は除算のいずれかの演算子、及び算出される上位階層の環境側面の側面識別子を含む側面階層情報を格納するコンピュータが、前記環境側面に関する情報を前記外部装置に送信する環境情報収集装置であって、
前記コンピュータの演算処理部が、
前記側面測定情報の計測時刻に基づいて、前記時間区間に計測された前記環境側面の計測値を集計した集計値を計算し、
前記側面階層情報に基づいて、この時間区間における上位階層の環境側面の数値を計算し、
この数値及び前記集計値を前記転送変換情報の係数を用いて変換し、
この結果値、前記転送変換情報の前記外部装置における側面識別子及びこの集計した時間区間の時間区間識別子を併せた側面情報を生成し、前記外部装置に送信すること、
を特徴とする環境情報収集方法。
【請求項９】
前記演算処理部が、
送信を希望する環境側面を特定する側面識別子及び時間区間識別子を取得し、
前記取得した側面識別子及び時間区間識別子に対応する側面情報を前記外部装置に送信すること、
を特徴とする請求項８に記載の環境情報収集方法。
【請求項１０】
コンピュータの演算処理部に、請求項６ないし請求項９のいずれか１項に記載の環境情報収集方法を実行させることを特徴とするプログラム。
【発明の詳細な説明】
【技術分野】
【０００１】
本発明は、情報処理システムに係り、特に送信先の条件に合わせて環境側面の情報を伝送する環境情報収集装置及び環境情報収集方法に関する。
【背景技術】
【０００２】
従来のサーバクライアント型のコンピュータネットワークの例として、例えば、特許文献１に記載の環境情報集計分析システムが挙げられる。特許文献１に記載の環境情報集計分析システムは、環境情報を取り扱う情報処理システムであり、各データベースに格納される定義情報を変更することで、設計変更に対してプログラムの変更を伴うことなく柔軟に対応できるという特徴を有している。
なお、環境情報を取り扱う情報処理システムにおいて、環境マネジメント、環境会計、化学物質管理などの業務に関する情報とは、ＩＳＯ１４００１で定義するところの側面（環境側面）に関する情報である。すなわち、「組織の製品／活動／サービスの要素」である。このような側面は、多義にわたっており、化学物質の使用／廃棄／貯蔵量や、周囲の住民のクレームの数や、環境交流イベントの費用や、出荷製品のリサイクル量や、労働災害の発生数など実に様々であり、さらに名称も単位も多様である。
【特許文献１】特開２００４−６２４７１号公報（段落００３７〜００４０、図９、図１０）
【発明の開示】
【発明が解決しようとする課題】
【０００３】
特許文献１に記載の環境情報集計分析システムは、１台のサーバに環境側面の情報を集約するサーバクライアント型であり、各環境マネジメント組織が有する環境側面の情報をすべてマスタ情報としてデータベースに保持しておく必要があった。このため、企業規模が大きくなった場合、膨大な環境側面の情報を管理することが困難となり、サーバへの負荷が集中して性能面でも問題が生じることがあった。
そこで、企業規模が大きい場合には、各環境マネジメント組織においてマスタ情報を管理するサーバを備え、各サーバをネットワークで接続した分散型のシステムを構築することが望ましい。
【０００４】
しかしながら、各環境組織で収集され、取り扱われる環境側面の情報は、その環境組織ごとに最適化されることが多く、各サーバをネットワークで接続しただけでは環境側面に関する情報を共有できないという問題点があった。
【０００５】
そこで、本発明の目的は、環境側面に関する情報を送信先の条件に合わせて変換して伝送する手段を提供することにある。
【課題を解決するための手段】
【０００６】
前記の課題を解決するためになされた、本発明は、環境側面に関する情報を外部装置に送信する環境情報収集装置であって、環境側面を識別する側面識別子に対応付けて、当該環境側面の計測値及びその計測時刻を含む側面測定情報を格納するとともに、側面識別子に対応付けて、外部装置における単位系に合わせて計測値を変換する係数及び外部装置において当該環境側面を識別する側面識別子を含む転送変換情報を格納する記憶部と、側面測定情報の計測値を転送変換情報の係数を用いて変換し、この結果値及び転送変換情報の外部装置における側面識別子を併せた側面情報を生成し、外部装置に送信する演算処理部とを備えることを特徴としている。
本発明のその他の態様については後記する実施の形態において詳しく説明する。
【発明の効果】
【０００７】
本発明によると、環境側面に関する情報を送信先の条件に合わせて変換して送信することができる。
【発明を実施するための最良の形態】
【０００８】
以下、本発明の好適な実施の形態について、添付した図面を参照しつつ、詳しく説明する。本実施の形態では、階層構造をなすグループ企業等において、環境側面に関する情報を収集する例を説明する。
【０００９】
（全体構成）
図１は、本発明の実施の形態に係る環境情報収集システムの構成例を示す図面である。図１に示した環境情報収集システムは、企業、事業所、工場等のそれぞれに設置される複数の環境情報収集装置１が、ネットワーク２を介して階層状に接続されて構成されている。各環境情報収集装置１は、各会社等の環境側面に関する情報を収集・管理するためのコンピュータであり、その詳細な構成については後記する。
また、環境情報収集装置１の階層関係は、企業間の階層関係と対応しており、環境情報収集装置１間の階層関係は、概念的に示したものであり、各環境情報収集装置１は、同一のネットワーク２である公衆回線網やＷＡＮ（Wide Area Network）などに接続して構成することができる。
また、各環境情報収集装置１の上部に記載された番号は、各環境情報収集装置１を識別可能な組織識別子である。この組織識別子については後記する。
【００１０】
（環境情報収集装置）
図２は、図１に示した環境情報収集装置１のブロック構成図の例である。環境情報収集装置１は、側面階層定義データベース１０１、組織階層定義データベース１０２、時間階層定義データベース１０３、側面データベース１０４、転送変換定義データベース１０５、上位接続インタフェース１０６、下位接続インタフェース１０７、集計処理部１０８、側面入力インタフェース１０９及び登録表示インタフェース１１０を備えている。
【００１１】
上位接続インタフェース１０６は、図１に示した環境情報収集装置１の階層関係において自身から上位に位置する環境情報収集装置１（以降、上位装置とする）とのインタフェースであり、自身に格納された側面の集計値を、上位装置におけるデータ形式に合わせて変換された側面情報として送信する機能を有している。
下位接続インタフェース１０７は、図１に示した環境情報収集装置１の階層関係において自身から下位に位置する環境情報収集装置１（以降、下位装置とする）とのインタフェースであり、下位装置から前記の側面情報を受信して検証を実行する機能を有している。
なお、上位接続インタフェース１０６及び下位接続インタフェース１０７の詳細な動作については後記する。
【００１２】
集計処理部１０８は、図示しないセンサ等から取得した側面の測定値を所定の時間区間で集計し、各側面の値を計算する機能を有している。
側面入力インタフェース１０９は、図示しないセンサ等から側面の測定値を取得するインタフェースである。
登録表示インタフェース１１０は、上位接続インタフェース１０６において、上位装置に側面情報を送信する際に利用する入力画面を、図示しないディスプレイ装置等の表示部に表示するインタフェースである。
なお、集計処理部１０８における処理手順及び登録表示インタフェース１１０が表示する入力画面の例については後記する。
【００１３】
側面階層定義データベース１０１は、各側面の関連性を定義する側面階層構造を示す情報が格納される。ここで、図３（ａ）は、この側面階層構造の例を示す図面であり、図３（ｂ）は、この側面階層構造に対応して側面階層定義データベース１０１に格納される情報の例を示す図面である。
【００１４】
図３（ａ）に示した側面階層構造１０１１は、ある会社における側面である「売上高原単位」、「総ＣＯ２排出量」、「一台当たりＣＯ２排出量」、「売上高」、「製造台数」、「一台当たり重油使用量」、「一台当たり使用電力」の相互関連の概念を示している。
例えば、側面階層構造１０１１において、「一台当たり使用電力」が１ｋｗｈ／台であれば、ＣＯ２を０．４（＝１×０．４）ｋｇ／台だけ大気中に排出したことと同等である。また、「一台当たり重油使用量」が１Ｌ／台であれば、ＣＯ２を３．２（１×３．２）ｋｇ／台だけ排出したことに相当することを示している。従って、ある製品の製造プロセスにおいて、電気及び重油を消費した場合におけるＣＯ２の排出量は、それぞれの使用量にこれらの重みを付けた和に相当する。
一方、この会社全体で考えた場合、「１台当たりＣＯ２排出量」に「製造台数」を乗算することによって「総ＣＯ２排出量」を算出でき、さらにこれを売上高で除算することにより売上高原単位を算出することができる。側面階層定義データベース１０１には、このような側面間の階層関係を示す情報が格納される。
【００１５】
図３（ｂ）に示すように、本実施の形態の側面階層定義データベース１０１には、側面間の階層関係を示す情報として、側面定義情報１０１２及び側面階層情報１０１３が含まれている。
側面定義情報１０１２は、各側面を定義する情報であり、側面を識別する「側面識別子」、その側面の名称である「側面名称」、その側面の数値の単位を示す「側面単位」、及びこの側面の集計値を側面情報として上位装置に送信するか否かを示すフラグである「上位登録対象フラグ」の各項目を含んでいる。
また、側面階層情報１０１３は、側面間の階層を示す情報であり、側面間の階層関係を定義する親の側面識別子を示す「親識別子」及び子の側面識別子を示す「子識別子」、子となる下位側面から親となる上位側面を算出する際に乗算される「換算係数」、及びその算出に用いられる「演算子」の各項目を含んでいる。
【００１６】
例えば、側面定義情報１０１２の「側面識別子」の項目が「Ａ０００１」である「売上高原単位」の数値についての演算規則が、側面階層情報１０１３の１行目及び２行目のレコードに書かれている。すなわち、総ＣＯ２排出量（Ａ０００３）を分子（乗算）とし、売上高（Ａ０００２）を分母（除算）とし演算することが記録されている。
また、側面階層情報１０１３の３行目及び４行目には、「総ＣＯ２排出量」（Ａ０００３）についての演算規則が書かれており、「製造台数」（Ａ０００４）と「１台当たりＣＯ２排出量」（Ａ０００５）との乗算で求められることが記録されている。さらに、側面階層情報１０１３の５行目及び６行目には、「１台当たりＣＯ２排出量」（Ａ０００５）を求める演算式が書かれており、「１台当たり使用電力」（Ａ０００６）の数値を０．４倍したものと、「１台当たり重油使用量」（Ａ０００７）を３．２倍したものとの加算で求められることを示す演算規則が記録されている。このように、複雑な側面間の階層関係が複数のレコードの集まりとして定義されている。
【００１７】
このような側面階層定義データベース１０１に格納される側面階層データは、環境管理の基本的なノウハウとして捉えることができる。すなわち環境管理の目的に合わせて、いかに収集可能情報（末端側面）を管理情報（上位側面）に変換して分析していくかという具体的なアルゴリズムを定義したファイルと考えることができる。
【００１８】
次に、組織階層定義データベース１０２は、異なる複数の組織（企業、事業所、工場等）間の階層関係を定義する組織階層データを格納するデータベースである。
ここで、図４（ａ）は、組織間の階層構造の例を示す図面であり、図４（ｂ）は、この組織間の階層構造に対応して組織階層定義データベース１０２に格納される情報の例を示す図面である。
【００１９】
図４（ａ）に示した組織階層構造１０２１は、ある企業組織における組織（会社、工場等）間の階層関係の概念を示している。例えば「Ａ１社」は「Ｂ１社」及び「Ｂ２社」という子会社を有し、さらに「Ｂ２社」は「Ｃ１社」及び「Ｃ２社」という子会社を有している。また「Ｃ１社」は「Ｄ工場」、「Ｅ工場」及び「Ｆ工場」を有している。この階層構造に合わせて、各組織で集計された側面は、上位組織に送信される。
なお、本実施の形態ではグループ企業の組織体系に合わせて側面を集計する例を示したが、グループ企業間だけでなく、同一企業内における組織や、企業とは関係なく側面を集計する機関等を組織階層構造１０２１の要素とすることもできる。このため、自組織が属する組織階層構造１０２１が複数存在することもある。
【００２０】
図４（ｂ）に示すように、本実施の形態の組織階層定義データベース１０２には、組織間の階層関係を示す情報として、組織定義情報１０２２及び組織階層情報１０２３が含まれている。組織定義情報１０２２は、各組織を定義する情報として各組織を識別する「組織識別子」及びその組織の「名称」の項目を含んでいる。
組織階層情報１０２３は、組織間の階層関係において親となる組織識別子を示す「親識別子」と、その子の組織識別子を示す「子識別子」とが対になって格納されたレコードを有している。例えば、組織階層情報１０２３の１番目及び２番目のレコードには、親識別子としてＡ１社を示す「Ｓ０００１」が格納され、その子識別子としてＢ１社を示す「Ｓ０００２」及びＢ２社を示す「Ｓ０００３」が格納され、組織階層構造１０２１に対応していることがわかる。
なお、本実施の形態では、各組織に１つの環境情報収集装置１を備えることとしたため、「組織識別子」は各環境情報収集装置１を識別する識別子として利用できる。
【００２１】
次に、時間階層定義データベース１０３には、各時間区間の階層関係を定義する時間階層構造を示す情報が格納される。ここで、図５（ａ）は、この時間階層構造の例を示す図面であり、図５（ｂ）は、この時間階層構造に対応して時間階層定義データベース１０３に格納される情報の例を示す図面である。
【００２２】
図５（ａ）に示した時間階層構造１０３１は、時間区間の階層構造を示した図面であり、階層関係において親となる時間区間とその子となる時間区間の階層構造の概念を示している。例えば、「２００６年」という時間区間は、その子として「１月」から「１２月」を有し、さらに「２月」という時間区間は「２月１日」から「２月２８日」を有している。
【００２３】
図５（ｂ）に示すように、本実施の形態の時間階層定義データベース１０３には、時間の階層関係を示す情報として、時間要素定義情報１０３２及び時間階層情報１０３３を含んでいる。この時間階層定義データベース１０３は、各環境情報収集装置１に共通して予め格納されるものである。
時間要素定義情報１０３２は、各時間区間を定義する情報として各時間区間を識別する「時間区間識別子」及びその時間区間を示す「日付時刻値」の項目を含んでいる。
時間階層情報１０３３は、時間区間の階層構造において親となる時間区間の時間区間識別子を示す「親時間区間識別子」と、その子となる時間区間の時間区間識別子である「子時間区間識別子」とが対になって格納されたレコードを有している。例えば、時間階層情報１０３３の参照符号１０３３１で示したレコード群には、「親時間区間識別子」が「Ｔ２００６」の「２００６年度」という時間区間に対して、「子時間区間識別子」が「Ｔ２００６０１」の「２００６年１月」から、「子時間区間識別子」が「Ｔ２００６１２」の「２００６年１２月」までの時間区間が包含されていることを定義している。
また、参照符号１０３３２で示すレコード群には、「親時間区間識別子」が「Ｔ２００６０２」の「２００６年２月」という時間区間に対して、「子時間区間識別子」が「Ｔ２００６０２０１」の「２００６年２月１日」から、「子時間区間識別子」が「Ｔ２００６０２２８」の「２００６年２月２８日」までが包含されることを定義している。
なお、本実施の形態では、年、月、日の単位で時間区間を有することとしたが、週や「０時」から「２３時」までの１時間単位を時間区間として有することにしてもよい。
【００２４】
次に、側面データベース１０４には、側面データを格納する。側面データとは、側面の測定値を計測する図示しないセンサ等から送信された数値を取得して格納したものや、これを集計処理部１０８で集計したもの等である。
ここで、図６は、側面データベース１０４に格納される情報の例を示した図面である。図６に示すように、本実施の形態の側面データベース１０４には、末端側面情報１０４１及び側面集計情報１０４２が含まれている。
末端側面情報１０４１は、図示しないセンサ等から側面入力インタフェース１０９を介して取得した側面の測定値を格納し、このレコードの側面の「側面識別子」、この側面の測定値を取得した組織の「組織識別子」、この側面の測定値を取得した「日時」、この側面の測定値である「数値」の各項目が記録される。
【００２５】
また、側面集計情報１０４２は、集計処理部１０８が後記する手順で、所定集計期間で末端側面情報１０４１の各レコードを集計した情報、この情報に基づいて計算された上位側面の情報、又は下位装置から送信された側面情報に基づく情報を格納し、このレコードの側面の「側面識別子」、この側面のレコードを集計した組織の「組織識別子」、この側面の集計期間を示す「時間区間識別子」、この側面の集計値である「数値」の各項目が記録される。この側面集計情報１０４２に格納されるレコードの取得手順については後記する。
なお、上位側面の数値は、集計処理部１０８が、末端側面の数値を集計することで導かれるため、末端側面情報１０４１にレコードを登録できる側面は、末端側面に限られる。
【００２６】
次に、転送変換定義データベース１０５には、自装置から上位装置に側面情報を送信する際に、上位装置のフォーマットに合わせて側面の集計値を変換するための変換係数を含む転送変換情報が格納されている。
ここで、図７は、転送変換定義データベース１０５に格納される転送変換情報の例を示す図面である。図７に示した転送変換情報１０５１には、変換対象となる側面の「側面識別子」ごとに、この側面情報が送信される上位装置の組織識別子である「上位組織識別子」、この側面の上位装置における側面識別子である「上位側面識別子」、上位装置における自装置の組織識別子である「上位組織における組織識別子」及び側面の集計値に乗算される「変換係数」の各項目を含んだレコードが格納されている。
なお、「上位組織における組織識別子」の項目は、図４に示したように、組織階層定義データベース１０２に、複数の組織階層情報１０２３がある場合、自装置の組織識別子が複数割り当てられることがあるため、これを識別するために設けられている。
【００２７】
以上の構成要素からなる本実施の形態の環境情報収集装置１は、ＣＰＵ（Central Processing Unit）、ＲＡＭ（Random Access Memory）、ＲＯＭ（Read Only Memory）、ハードディスクドライブ、ネットワークインタフェース、ディスプレイカード等を有する一般的なコンピュータを用いて具現可能である。このとき、環境情報収集装置１の上位接続インタフェース１０６、下位接続インタフェース１０７、集計処理部１０８、及び登録表示インタフェース１１０は、ハードディスクドライブに格納された専用のプログラムをＲＡＭに展開してＣＰＵが実行し、このコンピュータのネットワークインタフェース、ディスプレイカード等を適宜使用することで具現され、各データベース（１０１、１０２、１０３、１０４、１０５）は、ハードディスクドライブの領域をそれぞれ割り当てることで具現される。
【００２８】
（側面集計手順）
次に、前記の構成を有する環境情報収集装置１において、集計処理部１０８が末端側面情報１０４１を集計する手順について詳しく説明する。
【００２９】
ここで、図８は、集計処理部１０８における末端側面情報１０４１の集計処理の手順を説明するフローチャートである。以下、図８に示したフローチャートを参照しつつ、環境情報収集装置１の集計処理部１０８における処理手順を説明する（適宜、図１〜図７参照）。
なお、以下の手順の前提として環境情報収集装置１の各データベース（１０１、１０２、１０３、１０４、１０５）には、前記した各情報が格納されている。
【００３０】
まず、集計処理部１０８は、集計対象となる集計期間を取得する（ステップＳ８０１）。ここでの集権期間の取得は、図示しないキーボード等の入力装置から、時間階層定義データベース１０３の時間要素定義情報１０３２に対応した時間区間を指定する情報を取得したり、時間階層定義データベース１０３の時間階層情報１０３３において、最下位の時間区間を集計期間として取得することができる。
なお、時間階層情報１０３３において、最下位の時間区間を集計期間として取得する場合、下位から最上位の時間区間に順に、集計処理部１０８が集計期間を取得して、すべての時間区間について以下の処理を実行することが望ましい。
【００３１】
次に、集計処理部１０８は、側面データベース１０４の末端側面情報１０４１のレコード群から、ステップＳ８０１で取得した集計期間に「日時」の項目が含まれるレコードを対象として以下の集計処理を実行する。
まず、ステップＳ８０１で取得した集計期間に含まれるすべての末端側面の数値を、集計期間に含まれるすべての時間区間ごとに加算集計する（ステップＳ８０２）。この加算集計の必要性を以下に説明する。
【００３２】
一般に側面の測定値は様々な日時で取得される。例えば、電力量は、前回の測定値からの差分で求められることが多いが、毎月の電力料金が明らかになった時点で分かる場合、毎日の点検で記録される場合、又は電力計により１秒ごとに記録される場合がある。また、例えば、製造台数は、１日の終わりにその日の累積製造台数を記録する場合もあり、毎時の製造台数を記録する場合もある。
このように側面は、その種類及び取得方法によって、各々の数値は異なった時点での瞬間値となることがあり、所定時間区間における加算集計は可能であるが、乗算及び除算による集計はできない場合がある。つまり、正確に同時刻のデータが双方揃わない場合が生じ、どの時刻の相手側のデータを乗算又は除算の対象とすべきか分からなくなってしまうからである。
【００３３】
そこで本実施の形態の集計処理部１０８は、ステップＳ８０２において、あらかじめ定義した大小さまざまな時間区間内の各側面の数値を加算集計した値を先に算出する。これにより、同一の時間区間内で集計された値同士で乗算や除算が可能になる。これは電力使用量や、売上高や、製造量等の多くの側面は、一般に時間軸方向には加算集計が可能である性質を有していることに着目したものである。この性質により異なった時刻での側面の瞬間値を同一時間区間の集計値に揃えることが可能となる。
なお、側面の種類によっては、時間区間内の数値を加算集計することに不適格な性質を有するものもある。例えば、側面が電力（Ｗ）であれば、時間区間内の平均値を算出することで対応する。
【００３４】
次に、集計処理部１０８は、ステップＳ８０２で加算集計した各々の側面について、側面階層構造１０１１の下位階層から順に、同じ「親識別子」を有する側面階層定義データベース１０１の側面階層情報１０１３のレコードを抽出する（ステップＳ８０３）。ここで、同じ「親識別子」を有するレコードは、その「親識別子」の側面を算出するための「演算子」を有している。
そして、集計期間に含まれる最下位の時間区間から順に、同じ時間区間を有する側面の集計値を対象として以下の上位側面算出処理を繰り返す。
まず、上位側面を算出するための演算子が、乗算又は除算であるのかを判定する（ステップＳ８０４）。
【００３５】
上位側面を算出する際に、演算子として乗算又は除算を用いる場合、一方の側面の数値が「０」であると、その上位側面の数値が「０」又は無限大となってしまう。そこで、演算子が乗算又は除算の場合は（ステップＳ８０４で‘Ｙｅｓ’）、上位側面を算出するための下位側面の中に、時間区間集計値が「０」のものがないかを判定する（ステップＳ８０５）。ここで、下位側面の時間区間集計値に「０」のものがある場合（ステップＳ８０５で‘あり’）の場合は、上位側面を算出することなく（ステップＳ８０６をスキップ）、ステップＳ８０７に進む。
【００３６】
一方、演算子が乗算又は除算ではない場合（ステップＳ８０４で‘Ｎｏ’）及び、下位側面の時間区間集計値に「０」のものがない場合（ステップＳ８０５で‘なし’）は、側面階層情報１０１３から抽出したレコードの演算子を用いて下位側面間で演算を実行し、その結果値を上位側面の時間区間に対応する数値として側面データベース１０４の側面集計情報１０４２に格納する（ステップＳ８０６）。
【００３７】
次に、集計処理部１０８は、ステップＳ８０１で取得した集計期間に含まれる、すべての時間区間について処理を実行したか否かを判定し（ステップＳ８０７）、すべての時間区間についての処理が終了していない場合は（ステップＳ８０７で‘Ｎｏ’）、現在処理した時間区間よりも上位の時間区間の集計値に対して、ステップＳ８０４以下の処理を繰り返す。一方、すべての時間区間についての処理が終了した場合は（ステップＳ８０７で‘Ｙｅｓ’）、ステップＳ８０３において、すべての側面階層情報１０１３のレコードを抽出したか否かを判定する（ステップＳ８０８）。この判定において、すべてのレコードを抽出していない場合（ステップＳ８０８で‘Ｎｏ’）、算出していない側面があると判断して、ステップＳ８０３以下の処理を繰り返す。一方、すべてのレコードを抽出した場合（ステップＳ８０８で‘Ｙｅｓ’）、すべての側面の算出が終了したと判断して集計処理部１０８の処理を終了する。
【００３８】
以上の処理を経て、側面データベース１０４の側面集計情報１０４２には、集計期間に含まれるすべての時間区間のすべての側面の数値が格納される。
【００３９】
（側面転送手順）
次に、集計処理部１０８の処理により、側面データベース１０４の末端側面情報１０４１が側面集計情報１０４２に集計・格納された状態で、図１に示した環境情報収集システムにおいて、下位装置から上位装置に側面情報を送信する過程について説明する。なお、下位装置及び上位装置のそれぞれにおける詳細な処理手順は後記する。
【００４０】
ここで、図９は、上下階層に接続された２台の環境情報収集装置１の間で、下位装置から上位装置に側面情報を転送する場合の概略手順を示したシーケンス図である。図９に示したシーケンス図を参照しつつ、側面情報を転送の手順の概略を説明する（適宜、図１〜図７参照）。
【００４１】
まず、下位装置の上位接続インタフェース１０６は、上位装置に対して側面情報の送信が可能か否かを確認する側面送信確認情報を送信する（ステップＳ９０１）。この側面送信確認を受信した上位装置の下位接続インタフェース１０７は、側面送信確認情報を送信した下位装置が組織階層定義データベース１０２に登録されているか否かの組織整合性をチェックする（ステップＳ９０２）。そして、上位装置の下位接続インタフェース１０７は、組織整合性に問題がないと判断すると、送信許可情報を下位装置に送信する（ステップＳ９０３）。
【００４２】
次に、送信許可情報を受信した下位装置の上位接続インタフェース１０６は、転送変換定義データベース１０５を参照して側面情報に変換し（ステップＳ９０４）、この変換した側面情報を上位装置に送信する（ステップＳ９０５）。この変換された側面情報を受信した上位装置の下位接続インタフェース１０７は、受信した側面情報の整合性をチェックして（ステップＳ９０６）、整合性に問題がない場合は側面情報を側面データベース１０４に格納し、整合性に問題がないことを示す整合確認情報を下位装置に送信する（ステップＳ９０７）。
以上の手順により、下位装置から上位装置に側面情報が転送される。
【００４３】
（上位接続インタフェースの動作）
次に、環境情報収集装置１の上位接続インタフェース１０６の詳細な動作手順について説明する。
【００４４】
ここで、図１０は、図９に示したシーケンス図の動作において、下位装置の上位接続インタフェース１０６の詳細な動作手順を示すフローチャートである。図１０に示したフローチャートを参照しつつ、上位接続インタフェース１０６の動作手順について説明する。（適宜、図１〜図７、図９参照）。
まず、下位装置の上位接続インタフェース１０６は、送信対象の上位装置の組織識別子を取得する（ステップＳ１００１）。このとき、登録表示インタフェース１１０が表示する表示画面を用いて上位組織の組織識別子が取得される。
ここで、図１２は、登録表示インタフェース１１０が出力する表示画面の遷移例を示す図面である。図１２に示した表示画面において、参照符号１２０１で示す表示画面は、組織識別子を入力するための表示画面である。下位装置を操作する担当者は、図示しないポインティングデバイスを用いて、この表示画面のプルダウンメニュー１２０１１から送信する組織を選択する。すると選択された組織に対応する組織識別子が上位接続インタフェース１０６に送信される。これにより、上位接続インタフェース１０６は、送信対象の上位装置の組織識別子を取得する。
なお、参照符号１２０１で示した表示画面において、プルダウンメニュー１２０１１に表示される組織は、組織階層定義データベース１０２の組織階層情報１０２３に基づいて、自装置より上位の環境情報収集装置１の「名称」が表示される。
【００４５】
次に、上位接続インタフェース１０６は、ステップＳ１００１で取得した組織識別子を有する上位装置に、取得した組織識別子及び自身の組織識別子を含む側面送信確認情報を送信する（ステップＳ１００２）。そして、この側面送信確認情報に応じて送信先の上位装置から送信された送信許可情報又は送信不許可情報を受信する（ステップＳ１００３）。なお、上位装置が送信許可情報又は送信不許可情報を送信する手順については、後記する下位接続インタフェース１０７の動作説明において詳しく説明する。また、ステップＳ１００２の手順は、図９に示したシーケンス図のステップＳ９０１に対応している。
【００４６】
送信許可情報又は送信不許可情報を受信した上位接続インタフェース１０６は、送信許可情報を受信したか否かを判定する（ステップＳ１００４）。この判定において、送信許可情報を受信していない場合は（ステップＳ１００４で‘Ｎｏ’）、登録表示インタフェース１１０から表示部にエラーメッセージを表示して（ステップＳ１００５）、処理を終了する。
ここで、図１２の参照符号１２０２で示す表示画面は、ステップＳ１００５において登録表示インタフェース１１０から出力された表示画面の例である。この表示画面において、参照符号１２０１に示した表示画面においてプルダウンメニュー１２０１１であった領域には、参照符号１２０２１で示すようにステップＳ１００１で選択された組織名が表示され、参照符号１２０２２で示す領域にエラーメッセージが表示される。
なお、ステップＳ１００４の判定において、所定時間内に送信許可情報を受信できない場合も、タイムアウトとしてステップＳ１００５に進むことが望ましい。
【００４７】
一方、ステップＳ１００３において送信許可情報を受信した場合は（ステップＳ１００４で‘Ｙｅｓ’）、上位接続インタフェース１０６は、送信対象の側面とその集計期間を示す情報を取得する（ステップＳ１００６）。このとき、登録表示インタフェース１１０が表示する表示画面を用いて送信対象の側面及びその集計期間を示す情報を取得する。
【００４８】
ここで、図１２の参照符号１２０３で示す表示画面は、送信対象の側面及びその集計期間を入力するための表示画面である。
参照符号１２０３で示した表示画面において、下位装置を操作する担当者は、図示しないポインティングデバイスを用いて、この表示画面の２つのプルダウンメニュー１２０３２から、送信したい側面及びその集計期間（登録期間）を選択する。この「側面名」のプルダウンメニュー１２０３２には、側面データベース１０４の側面定義情報１０１２の「上位登録対象フラグ」が「１」である側面識別子を有する側面が含まれ、「側面名」のプルダウンメニュー１２０３２で側面を選択すると、側面データベース１０４の側面集計情報１０４２のレコードのうち、選択された側面のレコードを抽出して、その時間区間識別子に対応する集計期間を「登録期間」のプルダウンメニュー１２０３２に表示する。
そして、プルダウンメニュー１２０３２から送信したい側面及びその集計期間を選択して、担当者が登録ボタン１２０３３を選択することで、選択された側面及びその集計期間に対応する側面識別子及び時間区間識別子が上位接続インタフェース１０６に送信される。
なお、参照符号１２０３で示した表示画面において、参照符号１２０３１に示した領域には、ステップＳ１００１で選択された組織名が表示されている。
【００４９】
次に、上位接続インタフェース１０６は、側面データベース１０４の側面集計情報１０４２から、ステップＳ１００６で取得した側面かつ集計期間に対応するレコードを取得する（ステップＳ１００７）。ここで、上位接続インタフェース１０６は、前記のようにステップＳ１００６では、登録表示インタフェース１１０から、選択された側面及びその集計期間に対応する側面識別子及び時間区間識別子を取得しており、側面集計情報１０４２からこの側面識別子及び時間区間識別子に対応するレコードを一意に取得する。
そして、転送変換定義データベース１０５の転送変換情報１０５１から、送信対象の上位装置かつ側面に対応するレコードを取得する（ステップＳ１００８）。ここで、上位接続インタフェース１０６は、転送変換情報１０５１から、ステップＳ１００１で取得した上位装置の組織識別子及びステップＳ１００６で取得した側面識別子に対応するレコードを一意に取得する。
【００５０】
次に、上位接続インタフェース１０６は、ステップＳ１００７で取得した側面データベース１０４の側面集計情報１０４２のレコードの「数値」に、ステップＳ１００８で取得した転送変換定義データベース１０５の転送変換情報１０５１のレコードの「変換係数」を乗算する（ステップＳ１００９）。この処理により上位装置のフォーマットに応じて側面情報に変換されたことになる。
そして、この変換された側面情報を送信対象の上位装置に送信する（ステップＳ１０１０）。この上位装置に送信される側面情報には、ステップＳ１００８で取得した転送変換情報１０５１のレコード及びステップＳ１００７で取得した側面集計情報１０４２のレコードに基づいて、送信日時、自身の組織識別子、上位組織識別子、上位側面識別子、時間区間識別子、数値の各項目値が含まれている。
なお、ステップＳ１００６ないしステップＳ１００９は、図９に示したシーケンス図のステップＳ９０４に対応し、ステップＳ１０１０は、ステップＳ９０５に対応している。
【００５１】
次に、上位接続インタフェース１０６は、ステップＳ１０１０において送信した側面情報に応じて、送信先の上位装置から送信された整合確認情報又はエラー送信情報を受信し（ステップＳ１０１１）、整合確認情報を受信したか否かを判定する（ステップＳ１０１２）。この判定において、整合確認情報を受信しなかった場合は（ステップＳ１０１２で‘Ｎｏ’）、登録表示インタフェース１１０から表示部に、受信したエラー送信情報に対応したエラーメッセージを表示して（ステップＳ１０１３）、処理を終了する。ここで、図１２の参照符号１２０４に示した表示画面は、ステップＳ１０１３において、登録表示インタフェース１１０から表示部に表示される例である。この表示画面において、参照符号１２０４１で示した領域には、ステップＳ１００６で取得した送信対象の側面名とその登録期間（集計期間に対応）が表示され、参照符号１２０４２で示した領域には、エラー送信情報に対応したエラーメッセージが表示される。
なお、上位装置が整合確認情報又はエラー送信情報を送信する手順、及びエラー送信情報に含まれる情報については、後記する下位接続インタフェース１０７の動作説明において詳しく説明する。
【００５２】
一方、整合確認情報を受信した場合は（ステップＳ１０１２で‘Ｙｅｓ’）、表示部から送信成功の旨を表示して（ステップＳ１０１４）、すべての処理を終了する。ここで、図１２の参照符号１２０５に示した表示画面は、ステップＳ１０１４において、登録表示インタフェース１１０から表示部に表示される表示画面の例である。この表示画面において、参照符号１２０５１で示した領域には、ステップＳ１００６で取得した送信対象の側面名とその登録期間（集計期間に対応）が表示され、参照符号１２０５２で示した領域には、正常に送信されたことを示すメッセージが表示される。
【００５３】
以上の手順を経て、下位装置の上位接続インタフェース１０６から上位装置に側面情報が送信される。次に、環境情報収集装置１の下位接続インタフェース１０７の詳細な動作手順について説明する。
【００５４】
（下位接続インタフェースの動作）
ここで、図１１は、図９に示したシーケンス図の動作において、上位装置の下位接続インタフェース１０７の詳細な動作手順を示すフローチャートである。図１１に示したフローチャートを参照しつつ、下位接続インタフェース１０７の動作手順について説明する（適宜、図１〜図７、図９、図１０参照）。
【００５５】
まず、上位装置の下位接続インタフェース１０７は、下位装置から側面送信確認情を受信する（ステップＳ１１０１）、この側面送信確認情報は、図１０に示したフローチャートのステップＳ１００２（図９のステップＳ９０１）で送信されたものであり、下位装置の組織識別子及び上位装置の組織識別子を含んだ情報である。
そして、組織階層定義データベース１０２の組織定義情報１０２２に下位装置の組織識別子が存在し、組織階層情報１０２３からその下位組織が実際に自身から下位の組織であるか否かを判定する（ステップＳ１１０２）。この判定の結果、組織定義情報１０２２に組織識別子が存在しない、又は下位の組織ではない場合（ステップＳ１１０２で‘Ｎｏ’）、下位装置に、送信不許可の理由を示す情報を含んだ送信不許可情報を送信する（ステップＳ１１０３）。
なお、ステップＳ１１０２は、図９に示したシーケンス図のステップＳ９０２に対応する。
【００５６】
一方、ステップＳ１１０２の判定において、組織定義情報１０２２に組織識別子が存在し、かつ下位の組織である場合（ステップＳ１１０２で‘Ｙｅｓ’）、送信許可情報を下位装置に送信する（ステップＳ１１０４）。この手順は、図９に示したシーケンス図のステップＳ９０３に対応する。
そして、下位接続インタフェース１０７は、下位装置から、図１０に示したフローチャートのステップＳ１０１０で送信される側面情報を受信する（ステップＳ１１０５）。ここで、前記のように、下位装置から送信される側面情報には、送信日時、下位装置の組織識別子、上位装置の組織識別子、上位装置における側面識別子、時間区間識別子、数値の各項目値が含まれている。
【００５７】
次に、下位接続インタフェース１０７は、受信した側面情報の側面識別子（上位装置における側面識別子）に対応する側面階層定義データベース１０１の側面定義情報１０１２のレコードはあるか否かを判定する（ステップＳ１１０６）。この判定において、対応するレコードがない場合（ステップＳ１１０６で‘Ｎｏ’）、受信した側面情報が登録対象ではない旨のエラー送信情報を、側面情報を送信した下位装置に送信して（ステップＳ１１０７）、処理を終了する。
一方、ステップＳ１１０６の判定において、対応するレコードがある場合（ステップＳ１１０６で‘Ｙｅｓ’）、受信した側面情報の側面識別子（上位装置における側面識別子）及び時間区間識別子に対応する側面データベース１０４の側面集計情報１０４２のレコードはあるか否かを判定する（ステップＳ１１０８）。この判定において、対応するレコードがある場合（ステップＳ１１０８で‘Ｙｅｓ’）、受信した側面情報が既に登録済みである旨のエラー送信情報を、側面情報を送信した下位装置に送信して（ステップＳ１１０９）、処理を終了する。
【００５８】
一方、ステップＳ１１０８の判定において、対応するレコードがない場合（ステップＳ１１０８で‘Ｎｏ’）、受信した側面情報の時間区間識別子に対応する時間階層定義データベース１０３の時間要素定義情報１０３２のレコードはあるか否かを判定する（ステップＳ１１１０）。この判定において、対応するレコードがない場合（ステップＳ１１１０で‘Ｎｏ’）、受信した側面情報のデータ形式が不正である旨のエラー送信情報を、側面情報を送信した下位装置に送信して（ステップＳ１１１１）、処理を終了する。
一方、ステップＳ１１０６の判定において、対応するレコードがある場合（ステップＳ１１１０で‘Ｙｅｓ’）、側面情報を送信した下位装置に、整合確認情報を送信する（ステップＳ１１１２）。
なお、ステップＳ１１０６ないしステップＳ１１１０は、図９に示したシーケンス図のステップＳ９０６に対応し、ステップＳ１１１２は、同じくステップＳ９０７に対応している。
【００５９】
そして、下位接続インタフェース１０７は、受信した側面情報を側面データベース１０４の側面集計情報１０４２に格納し（ステップＳ１１１３）、すべての処理が終了する。
以上の手順を経て、下位装置が送信した側面情報が、上位装置の側面データベース１０４に格納される。
【００６０】
（側面情報の転送例）
次に、図９ないし図１１に示した手順において、上位装置から下位装置に送信される側面情報の例について説明する（適宜、図９ないし図１１参照）。
ここで、図１３は、下位装置に格納された側面集計情報１０４２が変換されて、上位装置の側面集計情報１０４２に格納される過程を説明する図面である。
【００６１】
ここでは、図１０のフローチャートのステップＳ１００１において、下位装置の上位接続インタフェース１０６が、上位装置の組織識別子として「Ｓ０００１」を取得して、ステップＳ１００６において、送信対象の側面の側面識別子として「Ａ０００３」、その集計期間の時間区間識別子として「Ｔ２００６０５」を取得した場合を例として考える。これによりステップＳ１００７では、下位装置の側面集計情報１０４２から、参照符号１０４２１で示したレコードが取得される。
【００６２】
そして、ステップＳ１００８では転送変換情報１０５１の１番目のレコードが取得され、ステップＳ１００９において、側面集計情報１０４２の１０４２１で示したレコードの「数値」の「１１０５．１」と、転送変換情報１０５１の参照符号１０５１１で示した「変換係数」の「０．００１」とを乗算して「１．１０５１」という値を得る。
そして、上位接続インタフェース１０６は、ステップＳ１０１０において、この値を用いて参照符号１３０１に示す側面情報を生成して、この側面情報を上位装置に送信する。
この側面情報を受信した上位装置の下位接続インタフェース１０７は、図１１に示したフローチャートのステップＳ１１０６ないしステップＳ１１１０において、側面情報の整合性を確認して、ステップＳ１１１３において、受信した側面情報の「時間区間識別子」及び「数値」の項目値と、「上位側面識別子」の項目値を「側面識別子」として、「下位組織識別子」の項目値を「組織識別子」として、それぞれ自身の側面集計情報１０４２の参照符号１０４２２で示したレコードに格納する。
【００６３】
以上、説明した本実施の形態の環境情報収集装置１によると、大規模な階層構造を有するネットワークにおいて、情報の集計を分散して実行することで、サーバクライアントシステムのような場合と比べてサーバの負荷を分散することができる。
また、環境側面に関する情報を各組織で分散して保持するため、大規模なデータベースを有することなくシステムを構築することができる。
また、各組織では自身のフォーマットに合わせて情報を管理することができる。
さらに、転送変換定義情報１０５１に基づいて、他組織のフォーマットに従った情報に変換することができ、設計変更が生じた場合であっても、システムを柔軟に運用することができる。
【００６４】
また、本発明は前記の実施の形態に限定されず、さまざまに変形して実施可能である。
例えば、組織階層において最上位に位置する環境情報収集装置１では、上位接続インタフェース１０６を省略することができ、反対に最下位に位置する環境情報収集装置１では、下位接続インタフェース１０７を省略することができる。
また、前記した実施の形態の環境情報収集装置１では、集計処理部１０８にて予め側面集計情報１０４２を作成して、これを上位接続インタフェース１０６が変換して送信することとしたが、上位接続インタフェース１０６と集計処理部１０８とを組み合わせて、上位装置に側面情報を送信する命令を受けるたびに、送信対象の集計期間の側面集計情報を算出し、これを変換して側面情報を生成する構成としてもよい。
【００６５】
また、環境情報収集装置１において、下位接続インタフェースを有することなく、下位装置から送信された側面情報をそのまま側面集計情報１０４２に格納する構成としてもよい。
また、環境情報収集装置１において、集計処理部１０８を有することなく、上位接続インタフェース１０６において、集計されていない末端側面情報１０４１を上位組織のフォーマットに合わせて変換して送信する構成としてもよい。
さらに、前記した実施の形態では環境側面に関する情報を取り扱う例を示したが、本発明はこれに限定されることなく、階層組織において分散された情報を集計する際に適用することが可能である。
したがって、本発明は特許請求の範囲に記載された技術的思想により定められる。
【図面の簡単な説明】
【００６６】
【図１】環境情報収集システムの構成例を示す図面である。
【図２】環境情報収集装置のブロック構成図である。
【図３】（ａ）は、側面階層構造を示す図面であり、（ｂ）は、この側面階層構造に対応して側面階層定義データベースに格納される情報を示す図面である。
【図４】（ａ）は、組織間の階層構造を示す図面であり、（ｂ）は、この組織間の階層構造に対応して組織階層定義データベースに格納される情報を示す図面である。
【図５】（ａ）は、時間階層構造を示す図面であり、（ｂ）は、この時間階層構造に対応して時間階層定義データベースに格納される情報を示す図面である。
【図６】側面データベースに格納される情報を示した図面である。
【図７】転送変換定義データベースに格納される転送変換情報を示す図面である。
【図８】集計処理部における末端側面情報の集計処理の手順を説明するフローチャートである。
【図９】下位装置から上位装置に側面情報を転送する手順を示すシーケンス図である。
【図１０】下位装置の上位接続インタフェースの動作手順を示すフローチャートである。
【図１１】上位装置の下位接続インタフェースの動作手順を示すフローチャートである。
【図１２】登録表示インタフェースが出力する表示画面の遷移例を示す図面である。
【図１３】下位装置の側面集計情報が変換されて、上位装置の側面集計情報に格納される過程を説明する図面である。
【符号の説明】
【００６７】
１      環境情報収集装置
１０１  側面階層定義データベース
１０３  時間階層定義データベース
１０４  側面データベース
１０５  転送変換定義データベース
１０６  上位接続インタフェース
１０７  下位接続インタフェース
１０８  集計処理部
【図１】
2008140088.tif 000003
【図２】
2008140088.tif 000004
【図３】
2008140088.tif 000005
【図４】
2008140088.tif 000006
【図５】
2008140088.tif 000007
【図６】
2008140088.tif 000008
【図７】
2008140088.tif 000009
【図８】
2008140088.tif 000010
【図９】
2008140088.tif 000011
【図１０】
2008140088.tif 000012
【図１１】
2008140088.tif 000013
【図１２】
2008140088.tif 000014
【図１３】
2008140088.tif 000015